(57)【要約】      （修正有）【課題】同一構造の椅子を前後方向にスタッキングさせる場合で、特に後方側の床面が前方側の床面と比較して低くなっている場合、椅子間の間隔が不均一になってしまうのを防ぐ。【解決手段】接近される側の椅子Ｃ即ち前方側に位置する椅子Ｃの前記当接部Ｔに、後方側に位置する椅子の前脚１５を当接させ、前後に隣接させる椅子Ｃ、Ｃ間の位置決めを行う。そして、以上の操作を繰り返して、椅子Ｃのスタッキング収納を行う。その際、前記当接部Ｔは前脚１５の上端１５ａよりも下方に位置しているので、この椅子Ｃを収納する領域の床面に不陸が存在して後方側に位置する椅子Ｃの前脚１５の上端１５ａが前方側に位置する椅子Ｃの前脚１５の上端１５ａよりも下方に位置する場合であっても、これらの間の高さ位置の差が前脚１５の上端１５ａと後横架材１３の下端との間の高さ位置の差よりも小さければ、前脚１５を前記当接部Ｔに当接させることができる。【選択図】図８
2008113938.tif 000002
【特許請求の範囲】
【請求項１】
左右一対の後脚、この後脚から前方にそれぞれ延伸する左右一対の側フレーム、及び前記側フレームの前方に位置する前脚を有する椅子本体と、この椅子本体に床面に対して略水平な使用位置と床面に対して略垂直な起立位置との間で回動可能に直接又は間接支持させてなる座とを具備し、前記座を起立位置に配した状態で、同一構造のものを前後方向にスタッキングすることが可能な椅子であって、左右の後脚、側フレーム、及び前脚により区成される空間内の前記前脚の上端よりも下方の部位に、スタッキングを行う際に後方に位置する椅子の前脚を当接させてなる当接部をさらに設けていることを特徴とする椅子。
【請求項２】
左右の側フレームの奥行き方向中間部間に横架させて設けた横架材をさらに具備するとともに、この横架材又は側フレームに前記当接部を設けていることを特徴とする請求項１記載の椅子。
【請求項３】
椅子本体の側フレームが、後下方から前上方に向かう傾斜を有するとともに、左右の側フレームの奥行き方向中間部間に前記横架材を横架させて設けていることを特徴とする請求項２記載の椅子。
【請求項４】
椅子本体の左右の側フレームの前端近傍間に、座の前端部を載置させてなる前横架材を横架させて設けていることを特徴とする請求項１、２又は３記載の椅子。
【請求項５】
前記前脚の上部又は前記当接部のうち一方にカバー部材を設け、このカバー部材を前記前脚の上部又は前記当接部のうち他方に当接させてなることを特徴とする請求項１、２、３、４又は５記載の椅子。
【請求項６】
椅子本体に後傾動作可能に支持させてなる背凭れをさらに具備し、この背凭れに座の後端部を吊持させているとともに、座の後部と前記側フレームとの間に隙間を設けていることを特徴とする請求項１、２、３、４又は５記載の椅子。
【請求項７】
肘当て部を有する背凭れ支持フレームを椅子本体の上方にさらに具備するとともに、この背凭れ支持フレームに前記背凭れを前後動可能に装着していることを特徴とする請求項６記載の椅子。
【発明の詳細な説明】
【技術分野】
【０００１】
本発明は、同一構造のものを前後方向にスタッキングすることが可能な椅子に関する。
【背景技術】
【０００２】
近年、椅子同士を収納のために相互に前後方向から接近させて重合させるいわゆる水平スタッキングを行うことができる椅子が提案されている。この種の椅子として、座を床面に対して略垂直な起立位置に移動させた状態で重合させる構成を採用したものが広く知られている。このような構成の椅子を重合させる場合、座を床面に対して略垂直な起立位置に移動させた状態で、この座を前方に位置する椅子の背凭れに当接させる態様が知られている（例えば、特許文献１を参照）。
【特許文献１】特開２００６−１５８７４５号公報
【発明の開示】
【発明が解決しようとする課題】
【０００３】
ところが、前記特許文献１記載の構成の椅子の使用及び収納を頻繁に繰り返す場合、収納の際に後方に位置する椅子の座と前方に位置する椅子の背凭れとを頻繁に当接させることになり、このような椅子の寿命を短縮させる要因となることがある。そこで、座ではなく、金属パイプ等の高強度材料で構成することが多い前脚を前方に隣接する椅子に当接させる態様が考えられる。しかし、このような椅子の収納箇所の床面に不陸がある場合、特に後方側の床面が前方側の床面と比較して低くなっている場合、後方に位置する椅子の前脚が前方側の椅子の当接部に当接せずさらに前方に移動して座が前方に位置する椅子に当接してしまい、椅子間の間隔が不均一になってしまう不具合が発生しうる。
【０００４】
本発明は、以上に述べた課題を解決すべく構成するものである。
【課題を解決するための手段】
【０００５】
すなわち本発明に係る椅子は、左右一対の後脚、この後脚から前方にそれぞれ延伸する左右一対の側フレーム、及び前記側フレームの前方に位置する前脚を有する椅子本体と、この椅子本体に床面に対して略水平な使用位置と床面に対して略垂直な起立位置との間で回動可能に直接又は間接支持させてなる座とを具備し、前記座を起立位置に配した状態で、同一構造のものを前後方向にスタッキングすることが可能な椅子であって、左右の後脚、側フレーム、及び前脚により区成される空間内の前記前脚の上端よりも下方の部位に、スタッキングを行う際に後方に位置する椅子の前脚を当接させてなる当接部をさらに設けていることを特徴とする。
【０００６】
このようなものであれば、後方に位置する椅子の前脚が当接部よりも上方にあるので、後方に床面の高さが低くなる不陸があっても、後方に位置する椅子の前脚を前記当接部に当接させることができる。すなわち、不陸がある床面上であっても、このような椅子間の前後距離を一定に保たせた状態で、かつ座を他の椅子に当接させないようにして水平スタッキング可能にできる。なお、本発明において、「左右の後脚、側フレーム、及び前脚により区成される空間内」とは、前記側フレームの内側端面をも含む概念である。
【０００７】
このような構成の椅子を簡単な構成で実現するための構成として、左右の側フレームの奥行き方向中間部間に横架させて設けた横架材をさらに具備するとともに、この横架材又は側フレームに前記当接部を設けているものが挙げられる。このようなものであれば、左右の側フレーム間を連結すべくこの種の椅子に一般的に設けられる横架材に前記当接部を設けることで、当接部を設けるべく特別の部材をさらに用意する必要がなくなるからである。
【０００８】
特に、椅子本体の側フレームが、後下方から前上方に向かう傾斜を有するとともに、左右の側フレームの奥行き方向中間部間に前記横架材を横架させて設けているものであれば、このような形状を有する側フレームの奥行き方向中間部間に設けられる横架材は、側フレームの前端に連続して設けられる前脚の上端よりも必ず下方に位置するので、このような横架材自体の後部を当接部とし、特別の部材を一切使用する必要がなくなる。
【０００９】
また、椅子本体の左右の側フレームの前端近傍間に、座の前端部を載置させてなる前横架材を横架させて設けているものであれば、側フレームのみにより使用位置にある座を支持する態様と比較して、椅子本体により安定して座を支持させることができる。
【００１０】
椅子の前脚と横架材とが当接ないし摺接する際の騒音の発生を抑えるための態様として、前記前脚の上部又は前記当接部のうち一方にカバー部材を設け、このカバー部材を前記前脚の上部又は前記当接部のうち他方に当接させてなるものが挙げられる。
【００１１】
さらに、この椅子本体に後傾動作可能に支持させてなる背凭れをさらに具備し、この背凭れに座の後端部を吊持させているとともに、座の後部と前記側フレームとの間に隙間を設けているものであれば、背凭れの後傾動作に連動させて座を動作させるようにすることができる。
【００１２】
椅子本体が肘当て部を有する場合に前段で述べた効果を容易に実現できる態様として、肘当て部を有する背凭れ支持フレームを椅子本体の上方にさらに具備するとともに、この背凭れ支持フレームに前記背凭れを前後動可能に装着しているものが挙げられる。
【発明の効果】
【００１３】
本発明に係る椅子によれば、後方に位置する椅子の前脚が横架材の当接部位よりも上方にあるので、後方に床面の高さが低くなる不陸があっても、後方に位置する椅子の前脚を前記当接部位に当接させることができる。すなわち、不陸がある床面上であっても、このような椅子間の前後距離を一定に保たせた状態で、かつ座を他の椅子に当接させないようにして水平スタッキング可能にできる。
【発明を実施するための最良の形態】
【００１４】
以下、本発明の一実施形態を、図面を参照して説明する。
【００１５】
本実施形態に係る椅子Ｃは、図１ないし図５に示すように、椅子本体１と、この椅子本体の上方に設けた左右１対の背凭れ支持フレーム２と、この背凭れ支持フレーム２に支持させてなる背凭れ３と、この背凭れ３に座吊持機構Ｊを介して後端部を吊持させてなるとともに床面に対して略水平な使用位置Ｕと床面に対して略垂直な起立位置Ｓとの間で回動可能な座４とを具備する。そして、前記座４を起立位置Ｓに配した状態で、図６に示すように、同一構造の椅子Ｃを前後方向にスタッキングすることが可能に構成している。なお、前記図１にはこの椅子Ｃの座４を使用位置Ｕに配した状態の全体斜視図、前記図２にはこの椅子Ｃの座４を起立位置Ｓに配した状態の全体斜視図、前記図３にはこの椅子Ｃの側面図、前記図４にはこの椅子Ｃの分解斜視図、前記図５には前記椅子本体１及び背凭れ支持フレーム２を前斜め上方から見た状態を示す図をそれぞれ示している。
【００１６】
具体的には、前記椅子本体１は、前記図２及び図５に主に示すように、左右一対の後脚１１、１１と、この後脚１１から前方にそれぞれ延伸する左右一対の側フレーム１２、１２と、左右の側フレーム１２、１２の奥行き方向中間部間に横架させて設けた後横架材１３と、左右の側フレーム１２、１２の前端部間に横架させて設けた前横架材１４と、前記側フレーム１２、１２の前方に位置する、具体的には前端に接続する前脚１５、１５とを有する。また、後脚１１、１１及び前脚１５、１５の下端には、それぞれキャスタ１６を設けている。
【００１７】
さらに詳述すると、前記後脚１１は、床面から前上方に起立し、主に背凭れ３が受ける荷重を支持する。
【００１８】
前記側フレーム１２は、上述したように前記後脚１１の上端から前方に延伸しているとともに、前端に向かうにつれ上方に向かう傾斜を有する。また、左右の側フレーム１２、１２間の距離、すなわち椅子本体１の幅寸法は、前記図５に示すように、後脚１１、１１、側フレーム１２、１２、及び前脚１５、１５により区成される空間ＳＰ内に他の椅子２の側フレーム１２、１２及び前脚１５を配して水平スタッキングさせることができるようにすべく、後方から前方に向かうにつれ漸次減少させている。
【００１９】
前記後横架材１３は、上述したように左右の側フレーム１２、１２の奥行き方向中間部間に横架させて設けたものであって、スタッキング時には、後横架材１３と側フレーム１２との境界部、具体的にはこの後横架材１３の後部１３ａの両側縁と前記側フレーム１２とに跨る部位を後方に位置する椅子Ｃの前脚１５に当接させてなる当接部Ｔとしている。そして、前記当接部Ｔを、カバー部材１３１により被覆するようにしている。
【００２０】
前記前横架材１４は、上述したように左右の側フレーム１２、１２の前端部間に横架させて設けたものであって、座４を使用位置Ｕに配した際に、この前横架材１４及び前記側フレーム１２、１２の前端部が座４の前部の荷重を受ける。
【００２１】
前記前脚１５は、上述したように前記側フレーム１２の上端から垂下しているとともに、スタッキング時にはこの前脚１５の上部を前記後横架材１３の前記当接部Ｔに当接させて椅子間の位置決めを行うようにしている。そして、前記側フレーム１２は前端に向かうにつれ上方に向かう傾斜を有し、前記後横架材１３はこの側フレーム１２の奥行き方向中幹部間に横架させて設けているので、この前脚１５に当接される前記後横架材１３の後部１３ａは、この前脚１５の上端１５ａよりも下方に位置する。なお、この前脚１５の上端１５ａ及びその近傍は、後横架材１３又は側フレーム１２に直接当接するのではなく、これらを被覆する前記カバー部材１３１に当接するようにしている。また、この前脚１５と前記側フレーム１２は、本実施形態では同一の金属パイプを利用して形成した前フレーム部材Ｆ１を利用して一体に形成している。すなわち、この前フレーム部材Ｆ１のうち、床面から起立する部位が前脚１５、後フレーム部との接合箇所から前脚１５の上端１５ａに至る部位が側フレーム１２として機能する。
【００２２】
前記背凭れ支持フレーム２は、本実施形態では、前記図２及び図５に主に示すように、後脚１１と同一の金属パイプである後フレーム部材Ｆ２を利用して一体に形成している。すなわち、前記後フレーム部材Ｆ２のうち、前記側フレーム１２との接合箇所より下方を後脚１１、上方が弾性フレーム部３としている。また、この背凭れ支持フレーム２は、前記後脚１１の上端から延設してなりこの後脚１１と同一方向に延伸する起立部２１と、この起立部の上端から後方に延伸し肘当てとしての機能を有する肘当て部２２とを有する。この肘当て部２２には、背凭れ３を挿脱可能である。また、この背凭れ支持フレーム２は、図７に示すように、背凭れ３から肘当て部２２に作用する荷重を受けて弾性変形が可能である。なお、図７の実線にはこの椅子Ｃが荷重を受けた状態の側面図、同図の想像線にはこの椅子Ｃが荷重を受けていない状態の側面図をそれぞれ示している。
【００２３】
前記背凭れ３は、前記前記図１、図３、及び図４に示すように、背凭れ面３ａを有する背凭れ本体３１と、この背凭れ本体３１の左右両側縁部から延伸する装着部３２とを有する。この背凭れ３は、背凭れ保持機構Ｈを介して背凭れ支持フレーム２に着脱可能かつ挿脱可能に支持させている。具体的には、この背凭れ保持機構Ｈは、前記装着部３２を前記背凭れ支持フレーム２（肘当て部２２）に挿脱可能に支持させてなるものである。前記装着部３２は、本実施形態では前記肘当て部２２を挿入可能な筒状に構成している。前記背凭れ面３ａは、本実施形態では前上方に向いていて、この背凭れ面３ａが受ける荷重を背凭れ支持フレーム２に作用させた際に、前記図７に示すように、該背凭れ支持フレーム２の弾性変形に追随してこの背凭れ３が後傾するようにしている。
【００２４】
前記座４は、上述したように、背凭れ３に座吊持機構Ｊを介して後端部を吊持させてなるとともに、床面に対して略水平な使用位置Ｕと床面に対して略垂直な起立位置Ｓとの間で回動可能である。さらに詳述すると、この座４は、座面４ａを有する座本体４１と、この座本体の後端部の両側縁から起立させて設けた左右１対の接合部４２とを有する。前記座本体４１は、さらにクッション４１１と、このクッション４１１の下方に設けてなるシェル４１２とを備えていて、使用位置Ｕに配した際に後端部の前後方向位置が背凭れ３の背凭れ面近傍に達している。一方、前記接合部４２は、基端部を前記シェル４１２に接続していて、先端部を背凭れ３の下端に水平方向に延伸する軸心周りに回動可能に枢着している。すなわち、具体的には、背凭れ本体３１の下端の両側端に設けた座枢着部３１ｘにこの接合部４２の先端部を枢着している。すなわち、これら座枢着部３１ｘ及び接合部４２により座吊持機構Ｊを形成している。また、この接合部４２は、起立位置Ｓでの背凭れ３の下端部との干渉を防ぐべく、使用位置Ｕに配した際に後方に膨出する形状、すなわち起立位置Ｓにおいて下方に膨出する形状を有する。そして、この座４を使用位置Ｕに配した状態で、この座の後部と側フレーム１２との間に隙間ＳＰ２を設けるようにしている。
【００２５】
この椅子Ｃに着座者が着座すると、荷重はまず座４に加えられる。それから、座４に加えられた荷重の一部は、前記座吊持機構Ｊを介して背凭れ３に伝達され、さらに背凭れ３の装着部３２と背凭れ支持フレーム２の肘当て部２２との接合部分を介して背凭れ支持フレーム２に伝達させる。すると、前記図７に示すように、この背凭れ支持フレーム２が弾性変形して着座時の衝撃を吸収する。また、この背凭れ支持フレーム２の弾性変形により前記肘当て部２２は後下方に移動する。これに伴い、背凭れ３が前記肘当て部２２に追随して全体として後下方に移動しつつ、背凭れ３が後傾動作を行う。そして、座４は、上述したように前記座吊持機構Ｊを介して背凭れ３に吊持させていて、その後端部と椅子本体１（側フレーム１２）との間に隙間ＳＰ２が存在するので、座４の後端部は背凭れ３の後傾動作に追随して下降する。加えて、この座４の前端部は椅子本体１に対してスライド可能であるので、座４は前述した後端部の下降動作と同時に後方へのスライド動作も行う。
【００２６】
一方、この椅子Ｃを収納する際には、まず、上述したように座４を起立位置Ｓに移動させた後、後方から同一構造を有する他の椅子Ｃに接近させる。それから、前記図６、及び要部の中央側断面図である図８に示すように、接近される側の椅子Ｃ、すなわち前方側に位置する椅子Ｃの前記当接部Ｔに、後方側に位置する椅子の前脚１５を当接させ、前後に隣接させる椅子Ｃ、Ｃ間の位置決めを行う。そして、以上の操作を繰り返して、椅子Ｃのスタッキング収納を行う。その際、前記当接部Ｔは前脚１５の上端１５ａよりも下方に位置しているので、この椅子Ｃを収納する領域の床面に不陸が存在して後方側に位置する椅子Ｃの前脚１５の上端１５ａが前方側に位置する椅子Ｃの前脚１５の上端１５ａよりも下方に位置する場合であっても、これらの間の高さ位置の差が前脚１５の上端１５ａと後横架材１３の下端との間の高さ位置の差よりも小さければ、前脚１５を前記当接部Ｔに当接させることができる。
【００２７】
本実施形態に係る椅子Ｃの構成によれば、以上に述べたように、左右の後脚１１、１１、側フレーム１２、１２、及び前脚１５、１５により区成される空間ＳＰ内であって、前記前脚１５の上端１５ａよりも下方に位置する後横架材１３と側フレーム１２との境界部、具体的にはこの後横架材１３の後部１３ａの両側縁と前記側フレーム１２とに跨る部位を、スタッキングを行う際に後方に位置する椅子Ｃの前脚１５を当接させてなる当接部Ｔとしているので、後方に位置する椅子Ｃの前脚１５の上端１５ａがこの当接部Ｔよりも上方に位置する。従って、この椅子Ｃの後方に床面の高さが低くなる不陸があっても、後方に位置する椅子Ｃの前脚１５を前記当接部Ｔに当接させることができる。すなわち、不陸がある床面上であっても、このような椅子Ｃ、Ｃ間の前後距離を一定に保たせた状態で、かつ座４を他の椅子Ｃに当接させないようにして水平スタッキング可能にできる。
【００２８】
また、左右の側フレーム１２、１２の奥行き方向中間部間に後横架材１３をさらに設け、この後横架材１３の後部１３ａの両側縁と前記側フレーム１２とに跨る部位を当接部Ｔとしているので、上述した効果に加え、左右の側フレーム１２、１２間を連結すべくこの種の椅子には上述したような横架材が一般的に設けられていることから、当接部を設けるべく特別の部材をさらに用意する必要がなく、このような構成の椅子を簡単な構成で実現する効果も得られる。
【００２９】
さらに、椅子本体１の側フレーム１２、１２が、後下方から前上方に向かう傾斜を有するとともに、左右の側フレーム１２、１２の奥行き方向中間部間に前記後横架材１３を横架させて設けているので、このような形状を有する側フレーム１２、１２の奥行き方向中間部間に設けられる横架材１３は、側フレーム１２、１２の前端に連続して設けられる前脚１５の上端１５ａよりも必ず下方に位置する。従って、特別の部材を一切使用することなく上述したようにこのような後横架材１３自体の後部１３ａの両側縁と前記側フレーム１２とに跨る部位を当接部Ｔとし、最小の部品点数によりこのような当接部Ｔを実現できる。
【００３０】
加えて、椅子本体１の左右の側フレーム１２、１２の前端近傍間に、座４の前端部を載置させてなる前横架材１４を横架させて設けているので、側フレーム１２、１２のみにより使用位置Ｕにある座４を支持する態様と比較して、椅子本体１により安定して座４を支持させることができる。
【００３１】
さらに、前記当接部Ｔにカバー部材１３１を設け、このカバー部材１３１を優先して前記前脚１３に当接させているので、椅子１の前脚１５と横架材１３ないし側フレーム１２とが当接ないし摺接する際の騒音の発生を抑えることができる。
【００３２】
また、この椅子本体１に後傾動作可能に支持させてなる背凭れ３をさらに具備し、この背凭れ３に座４の後端部を吊持させているとともに、座４の後部と前記側フレーム１２との間に隙間を設けているので、背凭れ３の後傾動作に連動させて座を動作させることができる。
【００３３】
そして、肘当て部２２を有する背凭れ支持フレーム２を椅子本体１の上方にさらに具備するとともに、この背凭れ支持フレーム２２に前記背凭れ３を前後動可能に装着しているので、背凭れ３の後傾動作に連動させて座４を動作させる場合の座４の動作余地を大きくとることができる。
【００３４】
なお、本発明は以上に述べた実施形態に限られない。
【００３５】
例えば、肘当て部は必ずしも設ける必要はない。また、肘当て部を設ける態様であっても、背凭れは必ずしも肘当て部に支持させる必要はなく、例えば椅子本体に背凭れと肘当て部を有する肘部材とをそれぞれ独立に支持させるようにしてもよい。
【００３６】
また、カバー部材も必ずしも設ける必要はない。
【００３７】
さらに、座の前端部を、上述した実施形態における前横架材に支持させる代わりに、例えば側フレームの前端近傍に座受部材を設け、この座受部材に座を支持させるようにしてもよい。
【００３８】
加えて、側フレームに後下方から前上方に向かう傾斜を設ける替わりに、略水平な側フレーム間に、中央部が前脚の上端及び側フレームより下方に位置しつつ水平に延伸し両側端部が側フレームに向けて上昇する形状や、中央部を下方に膨出させた形状を有する横架材を側フレーム間に架設するようにしてもよい。さらに、一方の側フレームから後方に位置する椅子の前脚に当接させてなる当接部材を斜め下方に突出させて設ける態様や、前脚と後脚との高さ方向中間部間に前後方向に延伸する縦枠材を架設するとともに、この縦枠材から側方に、後方に位置する椅子の前脚に当接させてなる当接部材を突出させて設ける態様を採用してもよい。
【００３９】
その他、本発明の趣旨を逸脱しない範囲で種々変形が可能である。
【図面の簡単な説明】
【００４０】
【図１】本発明の一実施形態に係る椅子の座を使用位置に配した状態の全体斜視図。
【図２】同実施形態に係る椅子の座を起立位置に配した状態の全体斜視図。
【図３】同実施形態に係る椅子の側面図。
【図４】同実施形態に係る椅子の分解斜視図。
【図５】同実施形態に係る椅子本体及び背凭れ支持フレームを前斜め上方から見た状態を示す図。
【図６】同実施形態に係る椅子を水平スタックさせる態様を示す側面図。
【図７】同実施形態に係る椅子の背凭れ支持フレーム、背凭れ、及び座の動作を示す図。
【図８】同実施形態に係る椅子の要部の中央側断面図。
【符号の説明】
【００４１】
Ｃ…椅子
１…椅子本体
１１…後脚
１２…側フレーム
１３…後横架材
１３ａ…後横架材の後部
１５…前脚
１５ａ…前脚の上端
４…座
【図１】
2008113938.tif 000003
【図２】
2008113938.tif 000004
【図３】
2008113938.tif 000005
【図４】
2008113938.tif 000006
【図５】
2008113938.tif 000007
【図６】
2008113938.tif 000008
【図７】
2008113938.tif 000009
【図８】
2008113938.tif 000010